(57)【要約】【課題】対象期間における使用電力量が目標値以下となるように対象期間中の各タイミングごとに適した処理を行う。【解決手段】管理装置１において、状態決定テーブル記憶部１１２の状態決定テーブルは、分割期間と電力量幅との組み合わせごとに目標達成レベルを対応付けた対応関係を示す。アクションテーブル記憶部１１３のアクションテーブルは、目標達成レベルと動作との対応関係を示す。第１抽出部１６２は、日付取得部１６１で取得された日付を含む分割期間と、電力使用情報管理部１５で取得された使用電力量を含む電力量幅との組み合わせを用いて、この組み合わせに対応する目標達成レベルを状態決定テーブルから抽出する。第２抽出部１６３は、第１抽出部１６２で抽出された目標達成レベルに対応する動作をアクションテーブルから抽出する。アクション実行部１７は、第２抽出部１６３で抽出された動作を実行するように表示装置２および負荷７を制御する。【選択図】図１
2014030323.tif 000002
【特許請求の範囲】
【請求項１】
対象期間の開始時から当該対象期間内の所定タイミングまでの負荷の使用電力量を取得する電力量取得部と、
前記所定タイミングの日付を取得する日付取得部と、
前記対象期間を複数に分割した分割期間と、前記対象期間における前記使用電力量の目標値に対して当該目標値以下の範囲を複数に分割した電力量幅との組み合わせごとに、目標達成の可能性を示す目標達成レベルを対応付けた対応関係を示す状態決定テーブルを記憶する第１記憶部と、
実行部に実行させる動作と前記目標達成レベルとの対応関係を示すアクションテーブルを記憶する第２記憶部と、
前記日付取得部で取得された前記日付を含む分割期間と、前記電力量取得部で取得された前記使用電力量を含む電力量幅との組み合わせに対応する前記目標達成レベルを前記状態決定テーブルから抽出する第１抽出部と、
前記第１抽出部で抽出された前記目標達成レベルに対応する前記動作を前記アクションテーブルから抽出する第２抽出部と、
前記第２抽出部で抽出された前記動作を実行するように前記実行部を制御する制御部と
を備えることを特徴とする管理装置。
【請求項２】
過去の前記対象期間と当該対象期間における前記使用電力量とを対応させた履歴情報を記憶する履歴情報記憶部と、
前記履歴情報記憶部に記憶されている前記履歴情報に応じて前記状態決定テーブルの前記分割期間および前記電力量幅を変更する分割変更部と
をさらに備えることを特徴とする請求項１記載の管理装置。
【請求項３】
前記実行部は、外部報知を行う報知部であり、
前記動作は、前記報知部による前記所定タイミングの前記目標達成レベルに応じた内容の報知を含む
ことを特徴とする請求項１または２記載の管理装置。
【請求項４】
前記動作の内容の入力を受け付ける入力装置から当該内容を取得する動作内容取得部と、
前記動作内容取得部で取得された前記内容に、前記第２記憶部に記憶されている前記アクションテーブルの前記動作を変更する動作内容変更部と
をさらに備えることを特徴とする請求項１〜３のいずれか１項に記載の管理装置。
【請求項５】
請求項１〜４のいずれか１項に記載の管理装置と、
前記対象期間の開始時から当該対象期間内の所定タイミングまでの使用電力量を計測する計測部と
を備えることを特徴とする管理システム。
【請求項６】
コンピュータを、
対象期間の開始時から当該対象期間内の所定タイミングまでの負荷の使用電力量を取得する電力量取得部、
前記所定タイミングの日付を取得する日付取得部、
前記対象期間を複数に分割した分割期間と、前記対象期間における前記使用電力量の目標値に対して当該目標値以下の範囲を複数に分割した電力量幅との組み合わせごとに、目標達成の可能性を示す目標達成レベルを対応付けた対応関係を示す状態決定テーブルを記憶する第１記憶部、
実行部に実行させる動作と前記目標達成レベルとの対応関係を示すアクションテーブルを記憶する第２記憶部、
前記日付取得部で取得された前記日付を含む分割期間と、前記電力量取得部で取得された前記使用電力量を含む電力量幅との組み合わせに対応する前記目標達成レベルを前記状態決定テーブルから抽出する第１抽出部、
前記第１抽出部で抽出された前記目標達成レベルに対応する前記動作を前記アクションテーブルから抽出する第２抽出部、および、
前記第２抽出部で抽出された前記動作を実行するように前記実行部を制御する制御部
として機能させるためのプログラム。
【発明の詳細な説明】
【技術分野】
【０００１】
本発明は、負荷の電力使用を管理する管理装置、管理システムおよびプログラムに関する。
【背景技術】
【０００２】
従来から、負荷の電力使用を管理する管理装置として、対象期間の開始時から現在（対象期間内の所定タイミング）までの使用電力量と対象期間での使用電力量の目標値とを表示する装置が知られている。
【０００３】
ところが、上記装置は、図１１に示すように、使用電力量と目標値とを単に１つの表示画面で表示しているだけである。このため、ユーザは、使用電力量および目標値が表示された表示画面を見て、使用電力量が目標値を超えていないかどうかを確認し、さらに、目標を達成するために日々の電力使用をどれくらい抑えればいいのかといったことを意識しなければならなかった。すなわち、上記装置では、目標値に対する省エネ動作を全てユーザに委ねており、省エネ活動の実践に直結していないという問題があった。
【０００４】
上記問題を解決する手段として、特許文献１には、目標値に対する消費電力量（使用電力量）を示す目標達成度に基づいて省エネ手法（後述）を決定する装置が知られている（例えば特許文献１参照）。
【０００５】
特許文献１に記載された装置は、電力計測部により計測された消費電力量と目標値とに基づいて目標達成度を計算し、さらに、この目標達成度に基づいて省エネ手法を決定する。ここで、省エネ手法は、機器に対する機器制御およびユーザへの情報通知の少なくとも一方を含む。
【先行技術文献】
【特許文献】
【０００６】
【特許文献１】特開２０１１−１９７７９７号公報
【発明の概要】
【発明が解決しようとする課題】
【０００７】
しかしながら、特許文献１に記載された従来の装置は、目標達成度に基づく省エネ手法の決定を、対象期間の全てのタイミングにおいて同じ基準で行っている。このため、特許文献１に記載された装置では、目標達成に向けて、対象期間の各タイミングに適した処理を行うことができないという問題があった。
【０００８】
例えば、使用電力量が目標値に近づいている場合、対象期間の終了間近では機器の動作を少し省エネ方向に変更するだけで目標を達成することができるのに対し、対象期間の初期段階では機器の動作を停止させなければ目標を達成することができない。ところが、特許文献１に記載された装置は、対象期間の初期段階と終了間近とで同じ基準で省エネ手法を決定するため、対象期間の終了間近では必要以上に今後の使用電力量を低減させる制御を行うことになり、ユーザの不満を高めることになる。一方、対象期間の初期段階では今後の使用電力量を十分に低減させることができず、目標を達成することができなくなる。
【０００９】
本発明は上記の点に鑑みて為された発明であり、本発明の目的は、対象期間における使用電力量が目標値以下となるように対象期間中の各タイミングごとに適した処理を行うことができる管理装置、管理システムおよびプログラムを提供することにある。
【課題を解決するための手段】
【００１０】
本発明の管理装置は、対象期間の開始時から当該対象期間内の所定タイミングまでの負荷の使用電力量を取得する電力量取得部と、前記所定タイミングの日付を取得する日付取得部と、前記対象期間を複数に分割した分割期間と、前記対象期間における前記使用電力量の目標値に対して当該目標値以下の範囲を複数に分割した電力量幅との組み合わせごとに、目標達成の可能性を示す目標達成レベルを対応付けた対応関係を示す状態決定テーブルを記憶する第１記憶部と、実行部に実行させる動作と前記目標達成レベルとの対応関係を示すアクションテーブルを記憶する第２記憶部と、前記日付取得部で取得された前記日付を含む分割期間と、前記電力量取得部で取得された前記使用電力量を含む電力量幅との組み合わせに対応する前記目標達成レベルを前記状態決定テーブルから抽出する第１抽出部と、前記第１抽出部で抽出された前記目標達成レベルに対応する前記動作を前記アクションテーブルから抽出する第２抽出部と、前記第２抽出部で抽出された前記動作を実行するように前記実行部を制御する制御部とを備えることを特徴とする。
【００１１】
この管理装置において、過去の前記対象期間と当該対象期間における前記使用電力量とを対応させた履歴情報を記憶する履歴情報記憶部と、前記履歴情報記憶部に記憶されている前記履歴情報に応じて前記状態決定テーブルの前記分割期間および前記電力量幅を変更する分割変更部とをさらに備えることが好ましい。
【００１２】
この管理装置において、前記実行部は、外部報知を行う報知部であり、前記動作は、前記報知部による前記所定タイミングの前記目標達成レベルに応じた内容の報知を含むことが好ましい。
【００１３】
この管理装置において、前記動作の内容の入力を受け付ける入力装置から当該内容を取得する動作内容取得部と、前記動作内容取得部で取得された前記内容に、前記第２記憶部に記憶されている前記アクションテーブルの前記動作を変更する動作内容変更部とをさらに備えることが好ましい。
【００１４】
本発明の管理システムは、前記管理装置と、前記対象期間の開始時から当該対象期間内の所定タイミングまでの使用電力量を計測する計測部とを備えることを特徴とする。
【００１５】
本発明のプログラムは、コンピュータを、対象期間の開始時から当該対象期間内の所定タイミングまでの負荷の使用電力量を取得する電力量取得部、前記所定タイミングの日付を取得する日付取得部、前記対象期間を複数に分割した分割期間と、前記対象期間における前記使用電力量の目標値に対して当該目標値以下の範囲を複数に分割した電力量幅との組み合わせごとに、目標達成の可能性を示す目標達成レベルを対応付けた対応関係を示す状態決定テーブルを記憶する第１記憶部、実行部に実行させる動作と前記目標達成レベルとの対応関係を示すアクションテーブルを記憶する第２記憶部、前記日付取得部で取得された前記日付を含む分割期間と、前記電力量取得部で取得された前記使用電力量を含む電力量幅との組み合わせに対応する前記目標達成レベルを前記状態決定テーブルから抽出する第１抽出部、前記第１抽出部で抽出された前記目標達成レベルに対応する前記動作を前記アクションテーブルから抽出する第２抽出部、および、前記第２抽出部で抽出された前記動作を実行するように前記実行部を制御する制御部として機能させるためのプログラムである。
【発明の効果】
【００１６】
本発明の管理装置、管理システムおよびプログラムでは、対象期間における使用電力量が目標値以下となるように対象期間中の各タイミングごとに適した処理を行うことができる。
【図面の簡単な説明】
【００１７】
【図１】実施形態１に係る管理システムの構成を示すブロック図である。
【図２】実施形態１で用いられる状態決定テーブルを示す図である。
【図３】実施形態１で用いられるアクションテーブルを示す図である。
【図４】実施形態１に係る管理装置の動作を示すフローチャートである。
【図５】実施形態１に係る管理装置の動作を説明するための図である。
【図６】実施形態２に係る管理装置の構成を示すブロック図である。
【図７】実施形態２で用いられる使用電力履歴テーブルを示す図である。
【図８】実施形態２に係る管理装置の動作を示すフローチャートである。
【図９】実施形態３で用いられる使用電力履歴テーブルを示す図である。
【図１０】実施形態４に係る給電システムの構成図である。
【図１１】表示装置の表示画面を示す図である。
【発明を実施するための形態】
【００１８】
以下の実施形態１〜４で説明する管理装置は、対象期間中の所定タイミングにおいて、対象期間全体での使用電力量が目標値以下となるように誘導する装置である。
【００１９】
この管理装置は、現在（対象期間内の所定タイミング）の目標達成レベルを決定するための状態決定テーブルと、目標達成レベルに対応する動作を規定するアクションテーブルとを記憶している。
【００２０】
状態決定テーブルは、対象期間を複数に分割した分割期間と、対象期間における使用電力量の目標値に対してこの目標値以下の範囲を複数に分割した電力量幅との組み合わせごとに目標達成レベルを対応付けた対応関係を示している。
【００２１】
アクションテーブルは、実行部に実行させる動作と目標達成レベルとの対応関係を示している。
【００２２】
管理装置は、現在の日付を含む分割期間と、対象期間の開始時から現在までの使用電力量を含む電力量幅との組み合わせに対応する目標達成レベルを状態決定テーブルから抽出し、抽出した目標達成レベルに対応する動作をアクションテーブルから抽出する。そして、管理装置は、抽出した動作を実行するように実行部を制御する。
【００２３】
以下、実施形態１〜４について図面を参照しながら説明する。
【００２４】
（実施形態１）
実施形態１に係る管理システムは、図１に示すように、負荷７の電力使用を管理する管理装置１と、表示機能および入力機能を有する表示装置（実行部、入力装置）２と、負荷７の使用電力を計測する電力計測部３とを備えている。
【００２５】
表示装置２は、各種情報を表示する表示部と、ユーザの入力操作を受け付ける入力部とを有している。入力部は、対象期間における負荷７の使用電力量の目標値の入力を受け付ける。また、入力部は、実行部に実行させる動作の内容の入力を受け付ける。なお、入力部は、動作の内容をいくつかの候補の中から選択できるようにしてもよい。
【００２６】
電力計測部３は、分電盤８１から負荷７への給電路に挿入され、負荷７ごとに、単位時間当たりの使用電力量を計測する。
【００２７】
分電盤８１は、図示しないが、主幹ブレーカと複数台の分岐ブレーカとを備えている。主幹ブレーカは、商用電力系統とパワーコンディショナ８５（図１０参照）とからの交流電力を各分岐ブレーカに出力する。分岐ブレーカは、主幹ブレーカからの電力を負荷７へ供給する。
【００２８】
管理装置１は、記憶部１１と、取得部（動作内容取得部）１２と、目標値設定部１３と、テーブル設定部（動作内容変更部）１４と、電力使用情報管理部（電力量取得部、計測部）１５と、アクション決定部１６と、アクション実行部（制御部）１７とを備えている。記憶部１１は、目標値を記憶している目標値記憶部１１１と、状態決定テーブル４を記憶している状態決定テーブル記憶部（第１記憶部）１１２と、アクションテーブル５を記憶しているアクションテーブル記憶部（第２記憶部）１１３とを備えている。また、管理装置１は、有線または無線によって、負荷７と通信可能である。これにより、管理装置１は、負荷７を制御することができる。
【００２９】
状態決定テーブル４は、現在（対象期間内の所定タイミング）の使用電力量が目標値に対して順調であるか否かを決定するための情報を持つテーブルである。この状態決定テーブル４は、図２に示すように、分割期間と電力量幅との組み合わせごとに、目標達成の可能性を示す目標達成レベルを対応付けている。分割期間は、対象期間を複数に分割した期間である。電力量幅は、対象期間における使用電力量の目標値に対してこの目標値以下の範囲を複数に分割した幅である。図２の例では、対象期間は１ヶ月（３０日）であり、１日〜１０日の期間と、１１日〜２０日の期間と、２１日〜３０日（月末）の期間との３つの分割期間に分割されている。また、目標値以下の電力量の範囲は、０ｋＷｈ〜４０ｋＷｈの範囲と、４０ｋＷｈ〜８０ｋＷｈの範囲と、８０ｋＷｈ〜１２０ｋＷｈの範囲との３つの電力量幅に分割されている。なお、状態決定テーブル４において、分割期間および電力量幅は３分割には限定されない。
【００３０】
目標達成レベルは、負荷７の電力使用状況すなわち目標達成状況を複数のレベルに分けられている。本実施形態では、目標達成レベルは、「余裕」（図２の◎印）・「順調」（図２の○印）・「警告」（図２の△印）・「危険」（図２の×印）の４つのレベルに分けられている。なお、目標達成レベルは４つには限定されない。また、目標達成レベルの内容は、「余裕」・「順調」・「警告」・「危険」に限定されない。
【００３１】
例えば、図２に示す状態決定テーブル４は、対象期間が１ヶ月（３０日）、目標値が１２０ｋＷｈの場合を示している。この状態決定テーブル４では、分割期間が１日〜１０日である場合、使用電力量が０ｋＷｈ〜４０ｋＷｈであるときの目標達成レベルとして「順調」が対応付けられている。使用電力量が４０ｋＷｈ〜８０ｋＷｈであるときの目標達成レベルとしては「警告」が対応付けられ、使用電力量が８０ｋＷｈ〜１２０ｋＷｈであるときの目標達成レベルとしては「危険」が対応付けられている。また、分割期間が１１日〜２０日である場合、使用電力量が０ｋＷｈ〜４０ｋＷｈであるときの目標達成レベルとして「余裕」が対応付けられている。使用電力量が４０ｋＷｈ〜８０ｋＷｈであるときの目標達成レベルとしては「順調」が対応付けられ、使用電力量が８０ｋＷｈ〜１２０ｋＷｈであるときの目標達成レベルとしては「警告」が対応付けられている。さらに、分割期間が２１日〜３０日である場合、使用電力量が０ｋＷｈ〜４０ｋＷｈおよび４０ｋＷｈ〜８０ｋＷｈであるときの目標達成レベルとして「余裕」が対応付けられている。使用電力量が８０ｋＷｈ〜１２０ｋＷｈであるときの目標達成レベルとしては「順調」が対応付けられている。
【００３２】
アクションテーブル５は、状態決定テーブル４を用いて決定された目標達成レベルに対応する動作を規定するテーブルである。このアクションテーブル５は、図３に示すように、実行部に実行させる動作と目標達成レベルとを対応付けている。すなわち、アクションテーブル５は、それぞれの目標達成レベルごとに動作を規定している。本実施形態において、実行部は、表示装置２および負荷７である。なお、アクションテーブル５は、予め設定されていてもよいし、電力使用状況を学習して動的に生成されてもよい。
【００３３】
アクションテーブル５において規定されている動作は、報知部としての表示装置２による現在（対象期間内の所定タイミング）の目標達成レベルに応じた内容の報知、負荷７に対する制御（機器制御）、メール送信などである。報知内容としては、例えば表示装置２を用いた画面表示、音声報知などがある。画面表示としては、例えば文章（告知内容、アドバイス）、マーク、初期画面、機器制御画面などの表示がある。また、上記画面表示としては、文章やマークをグラフと一緒に表示してもよいし、画面の色を変えてもよい。上記文章は、現在の電力使用状況を告知する告知内容、目標を達成できるように誘導するアドバイスなどである。音声報知としては、例えば文章（告知内容、アドバイス）などの音声出力がある。また、負荷７にＬＥＤ（Light Emitting Diode）が設けられている場合、上記動作としてＬＥＤの点灯がある。なお、アクションテーブル５において規定される動作は、上記には限定されない。
【００３４】
例えば、図３に示すアクションテーブル５では、目標達成レベルが「余裕」（図３の◎印）である場合、動作として、「もっと使っても目標達成できます」という告知内容の表示と、笑顔のマークの表示とが対応付けられている。目標達成レベルが「順調」（図３の○印）である場合、動作として、「この調子で目標達成できます」という告知内容の表示と、微笑のマークの表示とが対応付けられている。目標達成レベルが「余裕」または「順調」である場合、使用電力量を低減させるための機器制御は対応付けられていない。一方、目標達成レベルが「警告」（図３の△印）である場合、動作として、「少し利用を控えれば目標達成できます」という告知内容の表示と、普通の表情のマークの表示と、省エネ運転の機器制御とが対応付けられている。目標達成レベルが「危険」（図３の×印）である場合、動作として、「目標達成できません」という告知内容の表示と、困った表情のマークの表示と、強制オフの機器制御とが対応付けられている。
【００３５】
取得部１２は、表示装置２が受け付けた入力情報を表示装置２から取得する。具体的には、取得部１２は、目標値を取得したり、アクションテーブル５に規定される動作の内容を取得したりする。
【００３６】
目標値設定部１３は、取得部１２が取得した目標値を正式な目標値として設定する。目標値記憶部１１１は、目標値設定部１３で設定された目標値を記憶する。
【００３７】
テーブル設定部１４は、取得部１２で取得された内容に、アクションテーブル記憶部１１３に記憶されているアクションテーブル５の動作を変更する。
【００３８】
電力使用情報管理部１５は、電力計測部３の計測結果を取得し、定期的（例えば１日ごと、対象期間内の所定タイミング）に、対象期間の開始時から現在までの使用電力量を求める。電力使用情報管理部１５は、求めた使用電力量を管理する。電力使用情報管理部１５は、対象期間の開始時から現在（対象期間内の所定タイミング）までの負荷７の使用電力量を取得する電力量取得部を構成する。また、電力使用情報管理部１５と電力計測部３とで、対象期間の開始時から現在までの使用電力量を計測する計測部を構成する。
【００３９】
アクション決定部１６は、日付情報を取得する日付取得部１６１と、状態決定テーブル４から目標達成レベルを抽出する第１抽出部１６２と、目標達成レベルからアクションテーブル５から動作を抽出する第２抽出部１６３とを備えている。
【００４０】
日付取得部１６１は、定期的（例えば１日ごと、対象期間内の所定タイミング）に、図示しないリアルタイムクロック（Real Time Clock：ＲＴＣ）などから現在の日付を示す日付情報を取得する。
【００４１】
第１抽出部１６２は、定期的（例えば１日ごと）に、現在の日付と対象期間の開始時から現在までの使用電力量との組み合わせに対応する目標達成レベルを状態決定テーブル４から抽出する。すなわち、第１抽出部１６２は、日付取得部１６１で取得された日付を含む分割期間と、電力使用情報管理部１５で取得された使用電力量を含む電力量幅との組み合わせを用いて、この組み合わせに対応する目標達成レベルを状態決定テーブル４から抽出する。
【００４２】
第２抽出部１６３は、第１抽出部１６２で抽出された目標達成レベルに対応する動作をアクションテーブル５から抽出する。
【００４３】
アクション実行部１７は、第２抽出部１６３で抽出された動作を実行するように表示装置２および負荷７を制御する。特に目標達成レベルが「警告」や「危険」である場合、アクション実行部１７は、ユーザに対するお知らせを表示装置２に提示したり、負荷７を停止したりするなどの動作を実行する。
【００４４】
なお、記憶部１１は、管理装置１（コンピュータ）が各種の機能を実行するためのプログラムを格納している。すなわち、記憶部１１は、管理装置１を記憶部１１、取得部１２、目標値設定部１３、テーブル設定部１４、電力使用情報管理部１５、アクション決定部１６およびアクション実行部１７として機能させるためのプログラムを格納している。上記プログラムは、管理装置１の出荷時に記憶部１１に予め格納されている。ただし、管理装置１が上記プログラムを出荷後に取得する場合、管理装置１が上記プログラムを取得する手法の一例としては、上記プログラムを記録したコンピュータ読み取り可能な記録媒体を用いる手法がある。記録媒体を用いる手法の場合、管理装置１は、記録媒体のデータを読み取るための読取装置（図示せず）を備えていればよい。記録媒体としては、例えば光ディスクやメモリカードなどがある。読取装置としては、光ディスクの情報を読み出すドライブ装置や、メモリカードの情報を読み出すメモリカードリーダなどがある。また、管理装置１が上記プログラムを取得する他の手法としては、ネットワークを用いて上記プログラムを他の装置（例えばサーバ）からダウンロードする手法がある。上記プログラムをダウンロードする手法の場合、管理装置１は、ネットワークを用いて他の装置と通信するための通信機能（図示せず）を有していればよい。
【００４５】
次に、本実施形態に係る管理システムの動作について図４を用いて説明する。まず、ユーザが使用電力量の目標値を表示装置２に入力すると、管理装置１の目標値設定部１３が当月の目標値を設定する（Ｓ１）。
【００４６】
その後、管理装置１の日付取得部１６１が日付を取得する（Ｓ２）。電力計測部３が使用電力量を計測し、電力使用情報管理部１５が電力計測部３の計測結果を用いて対象期間の開始時から現在までの使用電力量を計測する（Ｓ３）。その後、第１抽出部１６２は、日付と使用電力量との組み合わせを状態決定テーブル４に照合し、この組み合わせに対応する目標達成レベルを抽出する（Ｓ４）。その後、第２抽出部１６３は、第１抽出部１６２で抽出された目標達成レベルをアクションテーブル５に照合し、この目標達成レベルに対応する動作が規定されている場合（Ｓ５のＹｅｓ）、上記動作を抽出する。その後、表示装置２および負荷７をアクション実行部１７が制御し、管理装置１で抽出された動作を表示装置２および負荷７が実行する（Ｓ６）。ステップＳ５において目標達成レベルに対応する動作が規定されていない場合（Ｓ５のＮｏ）、および、ステップＳ６の後、対象期間が終了していなければ（Ｓ７のＮｏ）、ステップＳ２に戻る。一方、対象期間が終了した場合（Ｓ７のＹｅｓ）、管理システムは動作を終了する。
【００４７】
例えば、図２に示す状態決定テーブル４において、８日までの使用電力量が３８ｋＷｈ（順調）であったが、９日に多くの電力を使用して９日までの使用電力量が８１ｋＷｈになった（危険）場合、トリガが発火する。この場合、管理装置１のアクション実行部１７が、アクションテーブル５に規定されている「危険」に対応する動作を実行する（文言「目標達成できません」の表示、負荷７の強制オフの制御）。
【００４８】
一方、１０日までの使用電力量が３８ｋＷｈ、１１日までの使用電力量が３９ｋＷｈであった場合、目標達成レベルは「余裕」である。この場合、アクション実行部１７は、アクションテーブル５の「余裕」に対応する動作を実行する（文言「もっと使っても目標達成できます」の表示）。
【００４９】
また、図５に示すように、１日〜１０日の分割期間において、使用電力量が基本ライン（図５の（ｄ））よりも多く、目標値の５０％程度である場合（図５の（ａ））、少し節電すれば目標を達成することができるので、目標達成レベルは「警告」となる。しかしながら、使用電力量がその後も同じ割合で大きくなって目標値近くになった場合（図５の（ｂ））、目標を達成することが略不可能であるので、目標達成レベルは「危険」となる。
【００５０】
一方、１日〜１０日の分割期間において、使用電力量が基本ライン（図５の（ｄ）））よりも少ない場合（図５の（ｃ））、これまでよりも使用電力量が増えても目標を達成することができるので、目標達成レベルは「余裕」となる。
【００５１】
以上説明した本実施形態の管理装置１は、対象期間の使用電力量を目標値以下とする目標を達成するために、現在の目標達成の可能性を示す目標達成レベルに応じた動作を実行するように表示装置２および負荷７を制御する。これにより、本実施形態によれば、対象期間の使用電力量が目標値以下となる可能性を高めることができる。すなわち、管理装置１は、対象期間の開始時から現在までの使用電力量が目標値を超えそうであるか否かを自動判定し、電力の使い過ぎであること、電力使用が順調であることを報知したり、今後の使用電力量を抑えるように負荷７の動作を制御したりする。
【００５２】
また、本実施形態では、現在の目標達成レベルに応じた内容を表示装置２に報知させることによって、対象期間が終了するまでの使用電力量の変化が最適となるようにユーザにアドバイスすることができる。
【００５３】
さらに、本実施形態では、ユーザが入力した動作の内容にアクションテーブル５の動作を変更することによって、ユーザの要望に応じた動作を表示装置２および負荷７に実行させることができる。
【００５４】
（実施形態２）
実施形態２に係る管理システムは、管理装置１において、状態決定テーブル４の内容を動的に決定する点で、実施形態１に係る管理システムと相違する。なお、実施形態１の管理システムと同様の構成要素については、同一の符号を付して説明を省略する。
【００５５】
実施形態１では、状態決定テーブル４は予め設定されているのに対し、本実施形態では、管理装置１がユーザの電力使用状況を学習して状態決定テーブル４の内容を動的に決定する。
【００５６】
本実施形態の記憶部１１は、図６に示すように、使用電力履歴テーブル６を記憶する履歴情報記憶部１１４をさらに備えている。履歴情報記憶部１１４は、使用電力履歴テーブル６を用いて、これまでの使用電力量を管理する。
【００５７】
使用電力履歴テーブル６は、図７に示すように、過去の対象期間とこの対象期間における使用電力量とを対応させた履歴情報を記憶している。具体的には、使用電力履歴テーブル６は、各月の目標値、目標達成結果、１０日ごとの使用電力量を保持する。
【００５８】
本実施形態のテーブル設定部１４は、履歴情報記憶部１１４に記憶されている使用電力履歴テーブル６の履歴情報に応じて状態決定テーブル４の分割期間および電力量幅を変更する分割変更部である。テーブル設定部１４は、例えば月末などのタイミングで状態決定テーブル４の動的更新を行う。なお、実施形態１のテーブル設定部１４（図１参照）と同様の機能については説明を省略する。
【００５９】
テーブル設定部１４は、図７に示す使用電力履歴テーブル６において、同一目標値かつ目標達成ができた月（例えば目標値１２０ｋＷｈの場合、１月、２月、６月）の１０日の使用電力量を抽出する（ここでは、２０ｋＷｈ、２５ｋＷｈ、２８ｋＷｈ）。そして、テーブル設定部１４は、抽出した使用電力量の最大値２８ｋＷｈを上限として、状態決定テーブル４の１日〜１０日の電力量幅を０ｋＷｈ〜２８ｋＷｈに更新する。
【００６０】
同様に、テーブル設定部１４は、２０日の使用電力量を抽出し（４０ｋＷｈ、５５ｋＷｈ、６０ｋＷｈ）、抽出した使用電力量の最大値６０ｋＷｈを上限として、状態決定テーブル４の１１日〜２０日の電力量幅を２８ｋＷｈ〜６０ｋＷｈに更新する。
【００６１】
同様に、テーブル設定部１４は、３０日の使用電力量を抽出し（７０ｋＷｈ、８０ｋＷｈ、１００ｋＷｈ）、抽出した使用電力量の最大値１００ｋＷｈを上限として、状態決定テーブル４の２１日〜月末の電力量幅を６０ｋＷｈ〜１００ｋＷｈに更新する。
【００６２】
次に、本実施形態に係る管理システムの動作について図８を用いて説明する。まず、ユーザが使用電力量の目標値を表示装置２に入力すると、管理装置１の目標値設定部１３が当月の目標値を設定する（Ｓ１１）。その後、テーブル設定部１４は、目標値が同一である月であって目標達成ができた月の１０日／２０日／３０日の値を使用電力履歴テーブル６から抽出し、抽出した値の最大値を境界値として、状態決定テーブル４の電力量幅を変更する（Ｓ１２）。
【００６３】
その後、管理装置１の日付取得部１６１が日付を取得する（Ｓ１３）。電力計測部３が使用電力量を計測し、電力使用情報管理部１５が電力計測部３の計測結果を用いて対象期間の開始時から現在までの使用電力量を計測する（Ｓ１４）。その後、履歴情報記憶部１１４が、１０日・２０日・３０日（月末）において、当月の目標値と使用電力量（積算電力）と目標達成結果（３０日の場合）とを使用電力履歴テーブル６に記憶する（Ｓ１５）。その後、第１抽出部１６２は、日付と使用電力量との組み合わせを状態決定テーブル４に照合し、この組み合わせに対応する目標達成レベルを抽出する（Ｓ１６）。その後、第２抽出部１６３は、第１抽出部１６２で抽出された目標達成レベルをアクションテーブル５に照合し、この目標達成レベルに対応する動作が規定されている場合（Ｓ１７のＹｅｓ）、上記動作を抽出する。その後、表示装置２および負荷７をアクション実行部１７が制御し、管理装置１で抽出された動作を表示装置２および負荷７が実行する（Ｓ１８）。ステップＳ１７において目標達成レベルに対応する動作が規定されていない場合（Ｓ１７のＮｏ）、および、ステップＳ１８の後、対象期間が終了していなければ（Ｓ１９のＮｏ）、ステップＳ１３に戻る。一方、対象期間が終了した場合（Ｓ１８のＹｅｓ）、管理システムは動作を終了する。
【００６４】
以上説明した本実施形態では、履歴情報に基づいて分割期間および電力量幅を変更することによって、表示装置２および負荷７に実行させる動作（アドバイスの表示、負荷７の動作）の条件を動的に変更することができる。これにより、ユーザごとの電力使用に特化した動作を表示装置２および負荷７に行わせることができる。例えばユーザごとの電力使用に特化した精度の高いアドバイスを提示させることができる。すなわち、ユーザの電力使用の傾向を学習し、状態決定テーブル４を動的に最適化することができ、一層ユーザの電力使用に合わせた形で精度の高い動作（アドバイス表示、機器制御）の実施が可能になる。
【００６５】
（実施形態３）
実施形態３に係る管理システムは、管理装置１において、季節ごとに状態決定テーブル４の内容を動的に決定する点で、実施形態２に係る管理システムと相違する。なお、実施形態２の管理システムと同様の構成要素については、同一の符号を付して説明を省略する。
【００６６】
本実施形態の管理装置１は、季節による使用電力量の違いを考慮し、季節ごとに電力使用を管理して、状態決定テーブル４の内容を動的に変更する。
【００６７】
本実施形態の使用電力履歴テーブル６ａ〜６ｄは、図９に示すように、基本的には、実施形態２の使用電力履歴テーブル６（図７参照）と同様であるが、季節（春・夏・秋・冬）ごとに設けられている。これにより、本実施形態の管理装置１は、季節ごとの電力使用の傾向に合わせた状態決定テーブル４を動的に決定することができる。なお、本実施形態の目標値記憶部１１１は、季節ごとに目標値のデフォルト値を記憶している。
【００６８】
本実施形態のテーブル設定部１４は、ユーザが表示装置２に入力した値に変更したり、または、目標達成できた月の値を月ごとに学習・管理したりすることによって、状態決定テーブル４の目標値を動的に変更する。例えば目標を達成できた場合、テーブル設定部１４は、目標達成した月の値から一定量の値を削除した値を季節の目標値として変更する。
【００６９】
例えば季節が夏の場合、目標値記憶部１１１が夏の目標値のデフォルト値３００ｋＷｈを記憶している。図９（ｂ）に示すように、６月から８月の３ヶ月ともに目標を達成できているので、テーブル設定部１４は、６月から８月までの使用電力量の最小値２７０ｋＷｈから１０ｋＷｈを差し引いた２６０ｋＷｈを夏の目標値に再設定する。
【００７０】
また、電力量幅の動的な決定方法としては、例えば、目標を達成できた月の１０日、２０日、３０日の各使用電力量の平均値によって設定する方法がある。例えば、秋の使用電力履歴テーブル６ｃでは、図９（ｃ）に示すように、目標達成できた月が９月、１０月となっている。これらの月の１０日、２０日、３０日の使用電力量の平均は、１０日が２２．５ｋＷｈ、２０日が４７．５ｋＷｈ、３０日が７５ｋＷｈとなる。したがって、テーブル設定部１４は、状態決定テーブル４の１日〜１０日の電力量幅を０ｋＷｈ〜２２．５ｋＷｈ、１１日〜２０日の電力量幅を２２．５ｋＷｈ〜４７．５ｋＷｈ、２１日〜月末までの電力量幅を４７．５ｋＷｈ〜７５ｋＷｈに変更する。
【００７１】
以上説明した本実施形態によれば、ユーザの電力使用の傾向を学習し、また季節の使用傾向を踏まえた形で、状態決定テーブル４を動的に最適化することができ、一層ユーザの使用に合わせた形で精度の高い動作（アドバイス表示、機器制御）の実施が可能になる。
【００７２】
（実施形態４）
実施形態１〜３の管理システムを、図１０に示すような給電システムに適用した場合について説明する。
【００７３】
本実施形態に係る給電システムは、管理装置１と、負荷７に電力を分配する分電盤８１と、創蓄設備８２とを備えている。本実施形態の給電システムは、戸建住宅である住戸に用いられており、商用電力系統と太陽電池８３と蓄電池８４とを用いて複数の負荷７に給電するシステムである。
【００７４】
創蓄設備８２は、太陽電池８３と、蓄電池８４と、太陽電池８３および蓄電池８４の直流電力を交流電力に変換するパワーコンディショナ８５とを備えている。
【００７５】
太陽電池８３は、例えば住戸の屋根などに設置されており、太陽光発電を行う。すなわち、太陽電池８３は、太陽光エネルギーを利用して直流電力を生成する。
【００７６】
蓄電池８４は、例えばニッケル水素電池やリチウムイオン電池などであり、系統連系運転時に太陽電池８３の発電電力および商用電力系統の商用電力を蓄電することができる。
【００７７】
パワーコンディショナ８５は、太陽電池８３および蓄電値８４の直流電力を交流電力に変換し、この交流電力を分電盤８１へ出力する。また、パワーコンディショナ８５は、太陽電池８３で生成された直流電力を蓄電池８４に充電させることもできる。さらに、パワーコンディショナ８５は、商用電力系統の交流電力を直流電力に変換し、変換した直流電力を蓄電池８４に蓄電させることもできる。
【００７８】
また、管理装置１には、ルータ９１およびネットワーク９２を介してサーバ９３が接続されている。管理装置１は、ネットワーク９２を介してサーバ９３と通信を行うことができる。さらに、管理装置１は、ルータ９１を介して表示装置２と情報の授受を行う。
【００７９】
以上説明した本実施形態によれば、実施形態１〜３の管理システムを、負荷７への給電を行う給電システムに適用し、この給電システムにおいて、負荷７の電力使用を管理することができる。
【符号の説明】
【００８０】
１  管理装置
１１２  状態決定テーブル記憶部（第１記憶部）
１１３  アクションテーブル記憶部（第２記憶部）
１１４  履歴情報記憶部
１２  取得部（動作内容取得部）
１４  テーブル設定部（動作内容変更部、分割変更部）
１５  電力使用情報管理部（電力量取得部、計測部）
１６１  日付取得部
１６２  第１抽出部
１６３  第２抽出部
１７  アクション実行部（制御部）
２  表示装置（実行部、入力装置）
３  電力計測部（計測部）
４  状態決定テーブル
５  アクションテーブル
６，６ａ〜６ｄ  使用電力履歴テーブル
７  負荷（実行部）
【図１】
2014030323.tif 000003
【図２】
2014030323.tif 000004
【図３】
2014030323.tif 000005
【図４】
2014030323.tif 000006
【図５】
2014030323.tif 000007
【図６】
2014030323.tif 000008
【図７】
2014030323.tif 000009
【図８】
2014030323.tif 000010
【図９】
2014030323.tif 000011
【図１０】
2014030323.tif 000012
【図１１】
2014030323.tif 000013